(57)【特許請求の範囲】
【請求項１】
ＰＣカーテンウォールに固着される垂直部片と同垂直部片に直交し、且つ裏面に肉厚の補強鋼材が重層されるとともに、同補強鋼材とに亘ってねじ孔が貫通された水平部片とよりなるＬ型鋼部材と、水平部片及び前記補強鋼材に夫々設けられた各ねじ孔に亘って、同補強鋼材の下方に突出するように螺挿されたピン兼用ボルトと、建物躯体部のＰＣカーテンウォール固定位置に取り付けられた上下２段の水平部片よりなる垂直荷重支承鋼材と、同垂直荷重支承鋼材と前記Ｌ型鋼部材の水平部片との間に介装される前記ピン兼用ボルトの水平移動抑止用座金鋼板とよりなり、同座金鋼板及び前記垂直荷重支承鋼材の上部水平部片には、前記ピン兼用ボルトが遊貫されるルーズホールを設けてなることを特徴とするＰＣカーテンウォールの建物躯体部への取付治具。
【発明の詳細な説明】
【０００１】
【発明の属する技術分野】
本発明はＰＣカーテンウォールの建物躯体部への取付治具に係るものである。
【０００２】
【従来の技術】
ＰＣカーテンウォールを建物躯体部へ取り付けるためには、重量物であるＰＣカーテンウォールの垂直荷重をボルト等で固着係止するだけでなく、地震力や風圧等による面内外水平応力の係止や、地震時の層間変位の吸収等の要素を考慮して、種々の方法が提案されている。
【０００３】
図４乃至図７は代表的な従来例を示し、ＰＣカーテンウォールａに定着金物ｂを介して定着されたＬ型金具ｃの水平部片ｃ1 に面内外方向の応力を係止するピンｄ及び垂直力を支持する締付ボルトｅを貫挿して夫々建物躯体ｆ側に圧接している。図中ｇは鉄筋である。
図８乃至図１０は他の従来例を示し、ＰＣカーテンウォールａに定着されたＬ型金具ｃの水平部片ｃ1 に穿設された透孔ｃ1 ′に、建物躯体ｆ側に定着された垂直荷重受部ｈより植立されたピンｉを嵌入し、同受部ｈと前記水平部片ｃ1 との間において前記ピンｉ廻りに図１０に示す如きライナー板ｊを介装して構成されている。図中ｋは座金である。
【０００４】
【発明が解決しようとする課題】
しかしながら前記従来技術のうち前者においては、面内外方向の水平応力係止用ピンと垂直力を支持する締付ボルトとが並列に設けられているので、ファスナーは幅が大きくなり、躯体に対する取付位置の制約を受けやすい。
また後者においては、施工時のレベル調整が難しいという難点があった。
【０００５】
本発明は前記従来技術の有する問題点に鑑みて提案されたもので、その目的とするところは、ファスナーの幅をより小さくし、レベル調整、建物躯体との接合が容易なＰＣカーテンウォールの建物躯体部への取付治具を提供する点にある。
【０００７】
【課題を解決するための手段】
前記の目的を達成するため、本発明に係るＰＣカーテンウォールの建物躯体部への取付治具は、ＰＣカーテンウォールに固着される垂直部片と同垂直部片に直交し、且つ裏面に肉厚の補強鋼材が重層されるとともに、同補強鋼材とに亘ってねじ孔が貫通された水平部片とよりなるＬ型鋼部材と、水平部片及び前記補強鋼材に夫々設けられた各ねじ孔に亘って、同補強鋼材の下方に突出するように螺挿されたピン兼用ボルトと、建物躯体部のＰＣカーテンウォール固定位置に取り付けられた上下２段の水平部片よりなる垂直荷重支承鋼材と、同垂直荷重支承鋼材と前記Ｌ型鋼部材の水平部片との間に介装される前記ピン兼用ボルトの水平移動抑止用座金鋼板とよりなり、同座金鋼板及び前記垂直荷重支承鋼材の上部水平部片には、前記ピン兼用ボルトが遊貫されるルーズホールを設けて構成されている。
【０００８】
【発明の実施の形態】
以下、本発明を本発明の好ましい実施の形態を示す図面について説明する。
図１及び図２において１はＰＣカーテンウォールで図示の例では上部が建物躯体部に固着され、他方に（図示の例では下方）Ｌ型鋼接続具２が取り付けられ、同接続具２及び同接続具２の裏面に溶接によって取り付けられた補強鋼材３とに亘って、ＰＣカーテンウォール１と平行となる垂直方向にピンを兼用するボルト４を螺挿し、同ボルト４における前記補強鋼材３を超えて延びる貫通部を建造物躯体部５に固着された上下水平部片より構成された垂直荷重受部６の上部水平板６ａに穿設されたルーズホール７に貫通して、先端を垂直荷重受部６の下部水平板６ｂに圧接することによって、ＰＣカーテンウォール１の垂直荷重を支承するとともに、前記ボルト４で面内、面外２方向の水平応力を固定するものである。
【０００９】
更に前記垂直荷重受部６の上部には前記ピンを兼用するボルトの貫通するピン孔８が穿設された座金鋼板９が配設され、前記ボルト４の水平移動を阻止するようになっている。１０は調整ボルトで、垂直荷重受部６の透孔７′に装着され、建方時の位置を調整し、固定するものである。なお前記ボルト４と補強鋼材３とは同時タップによってボルトの固定度を向上させるものである。
【００１０】
なお前記座金鋼板９と垂直荷重受部６の門形鋼６′とを溶接することによって、面内、面外応力に強力に対抗させるものである。
図３は本発明の他の実施例を示し、ファスナーを鋳造品とした場合であって、図中、前記実施例と均等部分には同一符号が付されている。
【００１２】
【発明の効果】
前記したように、本発明のＰＣカーテンウォールの建物躯体部への取付治具によれば、ＰＣカーテンウォールに固着される垂直部片と、裏面に肉厚の補強鋼材が重層されるとともに、同補強鋼材に夫々ねじ孔が設けられ、同各ねじ孔に亘って同補強鋼材の下方に亘って下方に突出するように螺挿された、面内、面外水平荷重を同時に負担する１本のピン兼用ボルトと、建物躯体部のＰＣカーテンウォール固定位置に取り付けられた上下２段の水平部片よりなる垂直荷重支承鋼材と、同鋼材と前記Ｌ型鋼部材の水平部片との間に介装される前記ピン兼用ボルトの水平移動抑止用座金鋼板とより構成され、同座金鋼板及び前記垂直荷重支承鋼材の上部水平部材には前記ピン兼用ボルト遊貫用ルーズホールを設けたことによって、ＰＣカーテンウォールの建物躯体部に対する前記した取付方法を効率よく遂行しうるものである。
【図面の簡単な説明】
【図１】本発明の方法によるＰＣカーテンウォールの建物躯体部への取付構造を示す縦断面図である。
【図２】図１に示すＰＣカーテンウォール取付部材の分解図である。
【図３】本発明の他の実施例を示す縦断面図である。
【図４】ＰＣカーテンウォールの建物躯体部への取付方法の従来例を示す平面図である。
【図５】図４の立面図である。
【図６】図４の矢視イ−イ図である。
【図７】図４の矢視ロ−ロ図である。
【図８】他の従来例を示す縦断面図である。
【図９】図８の側面図である。
【図１０】ライナーの平面図である。
【符号の説明】
１    ＰＣカーテンウォール
２    Ｌ型鋼接続具
３    補強鋼材
４    ボルト
５    建造物躯体
６    垂直荷重受部
６ａ    上部水平板
６ｂ    下部水平板
７    ルーズホール
７′  透孔
８    ピン孔
９    座金鋼板
１０    調整ボルト
【図１】
0003747301.tif 000002
【図２】
0003747301.tif 000003
【図３】
0003747301.tif 000004
【図４】
0003747301.tif 000005
【図５】
0003747301.tif 000006
【図６】
0003747301.tif 000007
【図７】
0003747301.tif 000008
【図８】
0003747301.tif 000009
【図９】
0003747301.tif 000010
【図１０】
0003747301.tif 000011